(57)【要約】  骨盤調整をアシストするための装置が、一対のアーム（３，５）を備え、接続部材（７）によって各アームの一端で接続されている。その接続部材（７）によって、両アームの長手方向軸を通る面内で、さらに、アームの接続端を通る軸を中心とした、２つのアームの相対回転が可能となる。そのような装置の使用方法が開示される。【選択図】  図１
2018510739.tif 000002
【特許請求の範囲】
【請求項１】
骨盤調整をアシストするための装置であって、一対のアームであって、両アームの長手方向軸を通る面内で、さらに、アームの接続端を通る軸を中心とした、２つのアームの相対回転を可能にする接続部材によって各アームの一端で共に接続される一対のアームを備える装置。
【請求項２】
前記アームのうちの一方が、他方のアームに向かう方向に、少なくともその長さの一部にわたり、減少する幅を有する、請求項１に記載の装置。
【請求項３】
前記一方のアームの横断面が略三角形である、請求項２に記載の装置。
【請求項４】
前記接続部材が、前記一方のアームに接続した第１部分と、前記第１部分に回転可能に接続した第２部分とを有し、前記他方のアームが前記第２部分に旋回可能に接続される、先行する請求項のいずれかに記載の装置。
【請求項５】
前記接続部材が略球状である、請求項４に記載の装置。
【請求項６】
前記接続部材に、前記一方のアームの端を収容する切欠部が与えられる、請求項５に記載の装置。
【請求項７】
部材をしっかり握ることができるよう、前記アームのうちの一方が、上部突起部を与えるよう形成された、先行する請求項に記載の装置。
【請求項８】
前記アームのうちの一方に、前記アームの、前記他方のアームから遠い方の側に位置する凹面が与えられる、先行する請求項のいずれかに記載の装置。
【請求項９】
前記凹面を有する前記アームにゴムの土台が与えられる、請求項８に記載の装置。
【請求項１０】
先行する請求項のいずれかに記載の装置の使用方法であって、床のような支持面上で背臥位をとるステップと、仙骨の下に前記装置の一方のアームを配置し、前記装置の前記他方のアームを、調整する側の上前腸骨棘（ＡＳＩＳ）の上に配置するステップと、股関節と膝を曲げるステップと、下向きの力を前記他方のアームに加えるステップと、踵が前記支持面上に、又は、前記支持面近くに位置するまで、前記股関節及び前記膝を伸ばすステップと、を備える方法。
【発明の詳細な説明】
【技術分野】
【０００１】
本発明は、腰痛及びそれに関連する問題を治療する装置及び方法に関する。
発明の背景
【０００２】
腰痛及び骨盤痛の主な原因は、脊椎及び骨盤内と脊椎及び骨盤周りの関節のずれであり、これらの関節とは、腰椎椎間関節、Ｌ５／Ｓ１椎間関節、仙腸関節、恥骨結合、及び股関節である。
【０００３】
ＵＳ６，９７１ ，３９２は、骨盤領域内で局所的に骨を動かす装置を開示する。装置は、互いに約４５度の角度で水平面に配向された固定アームを有する基礎部材を備える。基礎部材の一方の端は、持ち手として機能し、握りやすいようにテーパー状とすることができる。基礎部材の反対の端に、短いロッドが取り付けられ、２つの固定アームの交差部に長いロッドが取り付けられ、その長いロッドは短いロッドと同方向に延在する。両ロッドは、基礎部材に略垂直に取り付けられる。
【０００４】
使用時、装置によって、個人は、影響を受ける腸骨上に横及び尾方向の力を生じさせることができ、それによって、腸骨を通常の位置へ戻す。
【０００５】
ＪＰ４，７６９，３２７は、座部と、仙骨又は尾骨に接触する仙骨接触具と、腸骨に接触する腸骨接触部とを有するクッションを開示する。個人がクッションの上に着座すると、仙骨起き上がりモーメントが仙骨に作用し、腸骨前傾モーメントが腸骨に作用する。これらのモーメントの効果によって、骨盤の姿勢が矯正される。
発明の説明
【０００６】
本発明によると、骨盤調整をアシストするための装置が与えられ、その装置は一対のアームを備え、その一対のアームは接続部材によって各アームの一端で接続されている。その接続部材によって、両アームの長手方向軸を通る面内で、さらに、アームの接続端を通る軸を中心とした、２つのアームの相対回転が可能となる。
【０００７】
好ましくは、前記アームの一方が、他方のアームに向かう方向に、少なくともその長さの一部にわたり、減少する幅を有する。さらに好ましくは、前記一方のアームは横断面が略三角形である。
【０００８】
好ましくは、前記接続部材が、前記一方のアームに接続した第１部分と、前記第１部分に回転可能に接続した第２部分とを有し、前記他方のアームは前記第２部分に旋回可能に接続される。
【０００９】
好ましくは、前記接続部材は略球状である。さらに好ましくは、前記接続部材には、前記一方のアームの端を収容する切欠部が与えられている。
【００１０】
好ましくは、部材をしっかり握ることができるよう、前記アームの一方に上部突起部を与えるよう形成される。
【００１１】
好ましくは、前記アームの一方に、そのアームの、他方のアームから遠い方の側に位置する凹面が与えられる。好ましくは、このアームにはゴムの土台が与えられる。
【００１２】
本発明はまた、本発明の装置の使用方法を提供する。本方法は、床のような支持面上で背臥位をとるステップと、仙骨の下に装置の一方のアームを配置し、装置の他方のアームを、調整する側の上前腸骨棘（ＡＳＩＳ）の上に配置するステップと、股関節と膝を曲げるステップと、下向きの力を他方のアームに加えるステップと、踵が支持面に、又は、支持面近くに位置するまで、股関節と膝を伸ばすステップとを備える。
【００１３】
骨盤内及び骨盤周りの関節を調整することにより、靭帯を正常な位置に戻す。靭帯は、骨を他の骨に繋いでいる。正常な位置に戻され、その結果、病理学的な損傷を形成しにくい、靭帯の主なグループは、得られる骨盤の再配向の効果として、直接的には仙骨靭帯であり、間接的には脊椎及び股関節靭帯である。
【００１４】
関節の調整によって筋肉が正しい位置へ戻り、その結果、正しい役割を果たす。正しくない位置にある筋肉が抑制状態にあり、機能しなくなり、果たすべき役割を果たさなくなるとき、その場合は、生物力学的機能を行えるよう、他の筋肉で補わなければならない。骨盤筋肉のグループには、体幹筋、腹筋、傍脊柱筋群、骨盤底筋、及び、股関節筋が含まれる。
【図面の簡単な説明】
【００１５】
添付の図面は以下の通りである。
【図１】図１は、本発明の装置の斜視図である。
【図２】図２は、図１の装置の平面図である。
【図３】図３は、図１の装置の側面図である。
【図４】図４は、図１の装置の正面図である。
【図５】図５は、本発明の装置の使用中を図示し、開始位置と終了位置を示す。
【図６】図６は、図５の終了位置に類似し、さらに詳細を与える。
【図７】図７は、良い姿勢と悪い姿勢を図示する。
【図８】図８は、本発明のさらに別の装置の斜視図である。
【図９】図９は、図８の装置を下から見た図である。
【発明を実施するための形態】
【００１６】
本発明を、添付図面を参照して、単なる実施例により、説明する。
【００１７】
添付図面の図１から図４を参照すると、骨盤調整のための装置１は、２つのアームと、ハンドルアーム３と、基礎アーム５とを備え、略球状の接続部材７によって各アームの一端でまとめて接続されている。図面の通り、アームは、上側アーム３が下側アーム５の上に重なった状態で互いに隣接する。
【００１８】
しかしながら、接続部材７は、図２の用紙の面と図３の用紙の面の両方において、アームの相対運動を可能にする。これらの動きは、接続部材７の性質によって可能となり、アーム３及び５の端部をこの部材へ取り付ける方法を以下に説明する。
【００１９】
アーム３は、丸い自由端９を有し、他方端は１１でテーパー状となり、より小さい径の端部１３を提供するが、アーム３の長さ全体の大部分に沿って横断面は円形である。
【００２０】
アーム５は、アーム３に向かって上向きに延在する基礎部分１５と、他方のアームに向かう方向に減少する幅を有する部分１７とを有する。さらに詳しくは、部分１７は、いくらか丸い先端を有するが、横断面は略三角形である。アーム５の自由端は、図示の通り、１９でテーパー状である。アーム５の他方端は、接続部材７の下側部分２１に取り付けられる。
【００２１】
接続部材７の下側部分２１は、図２に見られる通り、部材２１の中心を垂直に通る軸を中心に、より大きな上側部分２３との間で相対回転するよう、より大きな上側部分２３に接続される。これにより、アームが、図２の用紙の面で相対的に回転できる。
【００２２】
接続部材７には、円周の４分の１にわたり、部材の中心を越えてすぐのところまで延在し、アーム３の端部部分１３を収容するのに十分な幅を有する切欠部２５が与えられる。接続部材７内には、ねじ２７が取り付けられ、そのねじ２７は切欠部２５内及び端部部分１３内へ延在し、それを中心にアーム１３の回転を可能にする。
【００２３】
上述の装置は、自身の骨盤を調整したい人によって、アシストなしで使用することができる。その人は、背臥位（仰向け）になり、仙骨の下に下側アームを滑り込ませる。この位置は、上前腸骨棘（ＡＳＩＳ）（体の上で触診できる最も突出した骨のランドマーク）から、足に向かう方向に、下向きに指４本分を測定することにより定められ、体の下でこの位置をたどると、これが下側アームの先端部に一致する。
【００２４】
次に、上側アームを、矯正する側のＡＳＩＳの頂点に置く。矯正する側の股関節を９０度まで曲げ、膝もまた、９０度まで曲げる。ＡＳＩＳをしっかり保持できるよう、下向きの力を上側アームに加える。
【００２５】
次に、踵が床から数センチとなるよう、股関節と膝を滑らかに、適切な速度で伸ばす。これにより、寛骨、したがって、腸骨を安定して保持しつつ、仙骨を前傾させ、「フォームクロージャ（Ｆｏｒｍ  ｃｌｏｓｅｒ）を達成する。（フォームクロージャとは、腸骨と仙骨が互いに最も安定した状態で近接している場合を指す。）この動きを１０回繰り返す。さらに、同じ手順を反対側で行う。その手順を行う前に、関節の片方又は両方が既に「ノンフォームクロージャ（ｎｏｎ−ｆｏｒｍ  ｃｌｏｓｅｒ）」の状態にある場合、単に関節が動くのみとなり得る。既に「フォームクロージャ」である関節は、単に動かず、仙腸関節でも効果は生じない。
【００２６】
骨盤は、正しい位置に保持できないと、再びずれてしまいやすいため、正しい位置に保持するための適切な筋肉を活性化させるエクササイズが利用される。効果の高いエクササイズには、両膝又は両足首の間のどちらかに球体を配置することを求めるものがある。上述の装置の端部にある球状の接続部材は、この目的に使用されてもよい。
【００２７】
上述の装置は、骨盤寛骨の調整をアシストし、フォームクロージャ（ノンフォームクロージャは、骨盤寛骨がＳ１で後方に、Ｓ３で頭方に傾いている場合である）を達成する際に効果的である。装置は、反対向きにすれば体のどちら側でも使用でき、下側アームは、後方回旋開始位置において骨盤を保持する傾斜を有し、足が伸びるにつれて骨盤全体を前方回旋へ変化させ、脊椎を伸ばすことで、図５に図示したように、仙骨を前傾させる。上側アームは、図６に図示したように、仙骨上で寛骨を後方に保持し、Ｓ１レベルで寛骨の関節面を尾方に動かし、Ｓ３で寛骨の関節面を頭方に動かす。
【００２８】
上述の装置は、図７に図示する通り、寛骨を前傾位置から戻すことによって、「良い姿勢」となるよう骨盤を正しい位置へ配置する。また、大腿部に対して寛骨臼を正しい位置に配置することにより、骨盤が股関節に対してニュートラルポジションへ配置される。
【００２９】
用いられ、上述の装置及び器具を使用することによって効果が得られた生理学的テストは４つあり、それらは、ジレテスト、下肢長検査、アダクションドロップテスト、及び、アダクションリフトテストである。
【００３０】
上記装置を使用することで得られる生体力学的な利点は、骨盤の再配向と、Ｌ５／Ｓ１、仙腸関節、恥骨結合、及び股関節の移動と、靭帯位置の回復、さらには病理学的な損傷のリスクを低減させる靭帯の安定性と、筋肉位置の回復、さらには病理学的な損傷のリスクを低減させる筋肉の同期と、そして、日常生活の動きやスポーツにおいて生体力学的なパフォーマンスを向上させるための筋肉同期の回復と、を含む。
【００３１】
添付図面の図８及び図９を参照すると、本発明の装置の別の実施形態は、上述の実施形態と大まかに類似している。しかしながら、この場合、徐々に大きくなる上部突起３５を有すように、自由端へと延在する部分にわたって上側アーム３１が形成されるため、このアームを体にあてて握る時、より簡単にしっかりとアームを握ることができる。
【００３２】
カーペット又はフローリングの上でしっかり握ることができるよう、アーム３９の基礎部分３７の下には、中央がくぼんだ長手方向の凹部４１と、ゴムの土台４３及び４５が与えられる。
【図１】
2018510739.tif 000003
【図２】
2018510739.tif 000004
【図３】
2018510739.tif 000005
【図４】
2018510739.tif 000006
【図５】
2018510739.tif 000007
【図６】
2018510739.tif 000008
【図７】
2018510739.tif 000009
【図８】
2018510739.tif 000010
【図９】
2018510739.tif 000011
【国際調査報告】
2018510739.tif 000012
2018510739.tif 000013
2018510739.tif 000014
2018510739.tif 000015